(57)【特許請求の範囲】
【請求項１】
壁面の上下に固定する壁面側支持部材と、振動発生機器を固定する機器側支持部材とを構成し、壁面側支持部材は、壁面への当接板部と、当接板部の上側に形成した横板部と、当接板部の面から距離をおいて左右側の上側に形成した縦板部とを有する構成とすると共に、機器側支持部材は、支持枠に、壁面側支持部材の縦板部と横板部に夫々対応させた縦板部と横板部を形成したものとし、機器側支持部材と壁面側支持部材を、夫々の縦板部を水平方向に間隔をおき、横板部を機器側が上方で垂直方向に間隔をおいた状態で対向させ、それらの間隔に防振ゴムを介在させて連結用ボルトにより連結する構成としたことを特徴とする振動発生機器の防振型壁面支持機構
【請求項２】
壁面側支持部材は、当接板部と横板部を構成するアングル材の左右側に、縦板部を構成するアングル材を設けた構成とし、また機器側支持部材は、縦板部を構成するアングル材を支持枠の上下横方向に設けた構成とすると共に、支持枠と直交する横方向に横板部を突設した構成とすることを特徴とする請求項１記載の振動発生機器の防振型壁面支持機構
【請求項３】
壁面側支持部材は、当接板部を構成するアングル材の左右側に、縦板部を構成するアングル材を設けた構成とし、また機器側支持部材は、縦板部と横板部を構成するアングル材を支持枠の上下横方向に設けて構成すると共に、壁面側支持部材の当接板部を構成するアングル材の横方向に横板部を突設した構成としたことを特徴とする請求項１記載の振動発生機器の防振型壁面支持機構
【請求項４】
左右の縦板部の相互の連結個所の間に横板部の相互の連結個所を配置させたことを特徴とする請求項１，２又は３記載の振動発生機器の防振型壁面支持機構
【請求項５】
左右の縦板部の相互の連結個所の夫々の外側に横板部の相互の連結個所を配置させたことを特徴とする請求項１，２又は３記載の振動発生機器の防振型壁面支持機構
【発明の詳細な説明】
【０００１】
【発明の属する技術分野】
本発明は、例えば給湯暖房用熱源機等のように振動を発生する機器を建物の壁面に設置するための防振型壁面支持機構に関するものである。
【０００２】
【従来の技術】
建物のＡＬＣ板外壁等に給湯暖房熱源機等を設置する場合、従来は例えば図６に示すような壁面支持機構を使用する。
即ち、符号ａはアングル材等により構成した支持枠で、この支持枠ａの上下左右側に壁ｂへの取付用の当接板部ｃを形成している。この支持枠ａを壁ｂに当接すると共に壁ｂの裏側に背板ｄを配置し、当接板部ｃと背板ｄで壁ｂを挟み込むようにして取付用ボルトｅを締め付けることにより支持枠ａを取付け、この支持枠ａに所定の金具ｆ等を利用して機器ｇを支持していた。
【０００３】
そして、このような壁面支持機構では、機器ｇから発生する振動、騒音対策として、支持枠ａの当接板部ｃと壁ｂとの間及び壁ｂと背板ｄ間に夫々防振ゴムｈを挟んでいる。
【０００４】
【発明が解決しようとする課題】
従来は、このように壁ｂを挟み込む方向の接触部分のみに防振ゴムｈを介装しているため荷重方向の防振対策とはなっておらず、十分な防振効果は得られていない。
そこで本発明では、このような課題を解決することを目的とするものである。
【０００５】
【課題を解決するための手段】
上述した課題を解決するために、本発明では、壁面の上下に固定する壁面側支持部材と、振動発生機器を固定する機器側支持部材とを構成し、壁面側支持部材は、壁面への当接板部と、当接板部の上側に形成した横板部と、当接板部の面から間隔をおいて左右側の上側に形成した縦板部とを有する構成とすると共に、機器側支持部材は、支持枠に、壁面側支持部材の縦板部と横板部に夫々対応させた縦板部と横板部を形成したものとし、機器側支持部材と壁面側支持部材の夫々の縦板部を水平方向に間隔をおいて対向させると共に、横板部を機器側が上方で垂直方向に間隔をおいて対向させ、それらの間隔に防振ゴムを介在させて連結用ボルトにより連結する構成とした防振型壁面支持機構を提案する。
【０００６】
そして本発明では、上記の構成において、壁面側支持部材は、当接板部と横板部を構成するアングル材の左右側に、縦板部を構成するアングル材を設けた構成とし、また機器側支持部材は、縦板部を構成するアングル材を支持枠の上下横方向に設けた構成とすると共に、支持枠と直交する横方向に横板部を突設した構成とすることを提案する。
【０００７】
また本発明では、上記の構成において、壁面側支持部材は、当接板部を構成するアングル材の左右側に、縦板部を構成するアングル材を設けた構成とし、また機器側支持部材は、縦板部と横板部を構成するアングル材を支持枠の上下横方向に設けて構成すると共に、壁面側支持部材の当接板部を構成するアングル材の横方向に横板部を突設した構成とすることを提案する。
【０００８】
更に本発明では、上記の構成において、左右の縦板部の相互の連結個所の間に横板部の相互の連結個所を配置させたり、左右の縦板部の連結部の外側に横板部の連結部を位置させることを提案する。
【０００９】
【発明の実施の形態】
次に本発明の実施の形態を図を参照して説明する。
図１〜図５は本発明の実施の形態の一例を示すもので、図１は本発明の支持機構を構成する要素を示す拡散図、図２、図３、図４、図５は支持機構を構成した状態の夫々斜視図、正面図、側面図、底面図である。
【００１０】
符号１ｕ，１ｄは壁面側支持部材を構成する上部と下部の部材であり、これらの壁面側支持部材１ｕ，１ｄは、横方向に配置したアングル材により壁２の面への当接板部３と、この当接板部３の上側の横板部４ａを形成すると共に、横板部４ａの左右側の上側にアングル材を立設して、当接板部３の面、即ち壁２の面から間隔をおいた位置に縦板部５ａを形成している。
【００１１】
符号６は機器側支持部材であり、この機器側支持部材６は、支持枠７の上下左右の横側にアングル材を突設して縦板部５ｂを構成すると共に、支持枠７と直交する横方向に板部材を突設して横板部４ｂを構成している。
【００１２】
以上の構成の壁面側支持部材１と機器側支持部材６は夫々の縦板部５ａ，５ｂを水平方向に間隔をおき、また夫々の横板部４ａ，４ｂを、横板部４ｂが上方で垂直方向に間隔をおいた状態で対向させることができる。
【００１３】
従って、壁面側支持部材１と機器側支持部材６は、これら横板部４ａ，４ｂ間及び縦板部５ａ，５ｂ間の間隔の夫々に筒状の防振ゴム８ｖ，８ｈを介在させた状態で連結用ボルト９ｖ，９ｈ等の棒状連結手段により連結することができる。
【００１４】
そこで次に、これら壁面側支持部材１と機器側支持部材６の連結までの手順の一例を説明する。
まず壁２の所定位置に取付用ボルト１０用の孔１１を形成し、この孔１１に対応させて壁２の取付面に上下の壁面側支持部材１ｕ，１ｄを配置する。即ち、壁面側支持部材１ｕ，１ｄは、横板部４ａを上側に向けて当接板部３を横方向に壁２に当接させると共に、壁２の裏側に背板１２を配置し、このようにして当接板部３と背板１２で壁２を挟み込むようにして取付用ボルト１０を締め付けることにより、まず壁２に上下の壁面側支持部材１ｕ，１ｄを取り付ける。
【００１５】
次いで上述したように夫々の縦板部５ａ，５ｂ間を水平方向に間隔をおき、また夫々の横板部４ａ，４ｂ間を、横板部４ｂが上方で垂直方向に間隔をおいた状とするように壁面側支持部材１と機器側支持部材６を対向させて、縦板部５ａ，５ｂ間と横板部４ａ，４ｂ間の夫々に筒状の防振ゴム８ｈ，８ｖを介在させ、この状態において縦板部５ａ，５ｂ間及び横板部４ａ，４ｂ間を連結用ボルト９ｈ，９ｖにより締め付けて連結する。尚、縦板部５ａ，５ｂ間の連結においては、連結用ボルト１０と縦板部５ｂ間にも防振ゴム８ｈ′を介在させている。
【００１６】
このように機器側支持部材６を壁面側支持部材１に連結した後、機器側支持部材６の前面側に給湯暖房用熱源機等の振動を発生する機器１３を適宜の金具１４ｃにより固定する。この状態において、機器１３の垂直方向の荷重は横板部４ａ，４ｂ間の防振ゴム８ｖを介して支持され、また機器１３の倒れ方向の荷重、即ち水平方向の荷重は縦板部５ａ，５ｂ間の防振ゴム８ｈを介して支持されることになり、いずれの方向の荷重も防振ゴム８ｈ，８ｖを介して支持されるため、機器１３の運転時に発生するいずれの方向の振動もこれらの防振ゴムにより減衰させることができる。
【００１７】
以上に説明した図示の実施の形態では、壁面側支持部材１ｕ，１ｄの横板部４ａは、アングル材の一部により構成すると共に、機器側支持部材６の横板部４ｂは、支持枠７と直交する横方向に突設した構成としているが、この構成とは逆に、図示は省略するが、機器側支持部材は、縦板部と横板部を構成するアングル材を支持枠の上下横方向に設けて構成すると共に、壁面側支持部材の当接板部を構成するアングル材の横方向に横板部を突設した構成とすることもできる。
【００１８】
また以上に説明した図示の実施の形態では、左右の縦板部５ａ，５ｂの相互の連結個所、即ち防振ゴム８ｈを介在させて連結用ボルト９ｈにより相互に連結する個所の間に、横板部４ａ，４ｂの相互の連結個所を配置させた構成としているが、この構成とは逆に、左右の縦板部５ａ，５ｂの相互の連結個所の外側に横板部４ａ，４ｂの相互の連結個所を配置させた構成とすることもできる。尚、この構成は図示を省略する。
【００１９】
【発明の効果】
本発明は以上のとおり、給湯暖房用熱源機等のように振動を発生する機器を建物の壁面に設置するための壁面支持機構において、従来の機構においても考慮されていた水平方向の防振と共に、従来の機構では考慮されていなかった垂直方向の防振を図ることができるので、機器から壁に伝わる振動のエネルギを低減して騒音レベルの大幅な低減を図ることができる。
【図面の簡単な説明】
【図１】本発明の支持機構を構成する要素の一例を示す拡散図である。
【図２】支持機構を構成した状態の斜視図である。
【図３】支持機構を構成した状態の正面図である。
【図４】支持機構を構成した状態の側面図である。
【図５】支持機構を構成した状態の底面図である。
【図６】従来の支持機構の一例を示す側面図である。
【符号の説明】
１（１ｕ，１ｄ）    壁面側支持部材（上部，下部部材）
２                  壁
３                  当接板部
４ａ，４ｂ          横板部
５ａ，５ｂ          縦板部
６                  機器側支持部材
７                  支持枠
８ｖ，８ｈ          防振ゴム
９ｖ，９ｈ          連結用ボルト
１０                取付用ボルト
１１                孔
１２                背板
１３                機器
１４                金具
【図１】
0003599206.tif 000002
【図２】
0003599206.tif 000003
【図３】
0003599206.tif 000004
【図４】
0003599206.tif 000005
【図５】
0003599206.tif 000006
【図６】
0003599206.tif 000007